(57)【要約】【課題】化粧天井において、一旦設置済みのスプリンクラヘッドを取り外すには、天井から専用工具（ヘッド廻し）を用いて行うが、スプリンクラヘッドではなく天井裏の巻き出し配管が外れる不具合がある。またフレキシブル配管を採用する場合、スプリンクラヘッドを外そうとするところ、フレキシブル配管が捩られ、スプリンクラヘッドを取り外すことはなかなか難しい。そのため、天井裏でパイレン等工具を用いて巻き出し配管またはフレキシブル配管を固定して取り外し作業を行う必要があり、余計な手間と時間が掛かっていた。【解決手段】  一端部に鉤形状で伸縮自在の抱持部２２が立設されている内筒２０と、当該内筒２０の外面に摺動し、上記抱持部２２の拡張を制限できる外筒３０と、上記内筒２０に挿入し、スプリンクラヘッド５０を嵌着するヘッド廻し４０とからなるスプリンクラヘッド用のヘッド着脱工具１００を提供する。【選択図】  図１
2008137101.tif 000002
【特許請求の範囲】
【請求項１】
天井の裏に配設されていた配管継手と螺合し、天井の開口部に貫設されているスプリンクラヘッドを着脱するヘッド着脱工具であって、
上記ヘッド着脱工具は、一端部に鉤形状で伸縮自在の抱持部が立設されている内筒と、当該内筒の外面に摺動し、上記抱持部の拡張を制限できる外筒と、上記内筒に挿入し、スプリンクラヘッドを嵌着するヘッド廻しと、からなることを特徴とするヘッド着脱工具。
【請求項２】
上記抱持部は、スプリンクラヘッドに当たり自然に広がる形状で形成され、配管継手に圧接することを特徴とする請求項１記載のヘッド着脱工具。
【請求項３】
上記外筒にハンドルが設けられるとともに、上記ヘッド廻しにハンドルが設けられていることを特徴とする請求項１または２記載のヘッド着脱工具。
【発明の詳細な説明】
【技術分野】
【０００１】
本発明は、スプリンクラ消火設備におけるスプリンクラヘッドを配管継手に装着または取り外すときに使われている工具に関する。
【背景技術】
【０００２】
消火設備としてのスプリンクラ消火設備は、防護対象空間に火災が発生した場合、スプリンクラヘッドが火災の熱を検出し、消火水を放出して火災を消す。スプリンクラヘッドは主に建物の天井の下面に取り付けられており、また化粧天井がある場合には、スプリンクラヘッドの本体部分が化粧天井の中に埋め込まれて、ヘッド部分（感熱や放水口）は化粧天井の下面に露出している。この場合、化粧天井の裏側が天井裏と呼ばれている。
【０００３】
天井裏にスプリンクラ消火設備の一部配管が配設されている。配管末端の立ち下がり部分は配管継手で、巻き出し配管とも呼ぶ。巻き出し配管はねじでスプリンクラヘッドと結合し、そうすると配管からスプリンクラヘッドに通水することができる。
【０００４】
近年来、地震防止のため配管継手は巻き出し配管の代わりに、フレキシブル配管を採用するケースも増えてきた。フレキシブル配管は、ねじ込み部とフレキ本体部から構成され、振動が発生したときにフレキのねじれやよじれが働き、配管とスプリンクラヘッドの変位を吸収し、地震によるスプリンクラ消火設備の損傷を防ぐことができる。（例えば、特許文献１）。
【特許文献１】特開平９−２６２３１２号公報
【発明の開示】
【発明が解決しようとする課題】
【０００５】
ところで、一旦設置済みのスプリンクラヘッドを取り外すには、天井から専用工具（ヘッド廻し）を用いて行うが、スプリンクラヘッドではなく巻き出し配管が外れる不具合がある。またフレキシブル配管を採用する場合、スプリンクラヘッドを外そうとするところ、フレキシブル配管が捩られ、スプリンクラヘッドを取り外すことはなかなか難しい。そのため、天井裏でパイレン等工具を用いて巻き出し配管またはフレキシブル配管を固定して取り外し作業を行う必要があり、余計な手間と時間が掛かっていた。さらに、天井裏に作業員が作業するスペースがない場合には、巻き出し配管またはフレキシブル配管を固定することができず、スプリンクラヘッドの取り外し作業は非常に困難である。
【課題を解決するための手段】
【０００６】
この発明は、上記課題を解決するためになされたもので、天井の裏に配設されていた配管継手と螺合し、天井の開口部に貫設されているスプリンクラヘッドを着脱するヘッド着脱工具であって、上記ヘッド着脱工具は、一端部に鉤形状で伸縮自在の抱持部が立設されている内筒と、当該内筒の外面に摺動し、上記抱持部の拡張を制限できる外筒と、上記内筒に挿入し、スプリンクラヘッドを嵌着するヘッド廻しと、からなり、上記内筒と外筒により上記配管継手を固定せしめるとともに、上記ヘッド廻しでスプリンクラヘッドを螺入または螺出することを特徴とする。
【発明の効果】
【０００７】
スプリンクラ消火設備の配管継手に螺合されるスプリンクラヘッドを着脱するヘッド着脱工具は、一端部に鉤形状で伸縮自在の抱持部が立設されている内筒と、当該内筒の外面に摺動し、上記抱持部の拡張を制限できる外筒と、上記内筒に挿入し、スプリンクラヘッドを嵌着するヘッド廻しとからなるので、内筒の伸縮自在の抱持部はまず配管継手を挟持して、次に外筒が内筒の外面に摺動し上記内筒の抱持部を束縛する。これによって抱持部が配管継手を固定することができ、そしてヘッド廻しを内筒に挿入してスプリンクラヘッドを嵌着して回転すれば、固定されていた配管継手にスプリンクラヘッドが簡単に取り付けられるまたは取り外されることができる。
【０００８】
また、配管継手は化粧天井の裏に配設され、スプリンクラヘッドは化粧天井の開口部に貫設するので、上記のヘッド着脱工具を使えば作業員は天井の下で作業することができ、天井裏に作業員が入ったり化粧天井を取り除いて作業したりすることは不要となり、スプリンクラヘッドの取り付けや取り外し作業はとても簡単になる。
【発明を実施するための最良の形態】
【０００９】
この発明を実施するための実施形態を図１〜図１２に示し、以下このスプリンクラヘッドの着脱工具の構成及び作動の手順を簡単に説明する。
【００１０】
実施形態１
図１は本発明に関わるヘッド着脱工具１００の組み立て図を示している。ヘッド着脱工具１００は、概して内筒２０と、外筒３０と、ヘッド廻し４０とで構成されている。
【００１１】
図１のように、スプリンクラヘッド５０のヘッドねじ部５１は、天井裏ＴＷに配設されている、ねじ込み部Ｈ１およびフレキ本体部Ｈ２等で構成されたフレキシブル配管Ｈ（配管継手）のねじ込み部Ｈ１と螺合され、天井Ｔの開口部Ｋに貫通して設置されている。スプリンクラヘッド５０と開口部Ｋの間に施工用の隙間を有し、内筒２０の一部と外筒３０の一部がこの隙間を挿通している。この隙間は、施工完了後シーリングプレートで塞がれ、化粧天井の美観を損ねることはない。
【００１２】
図２は内筒２０の側断面図を示している。内筒２０は、円筒形の本体２１と、その端部に立設された３本の鉤形状の抱持部２２と、ストッパー２４とで形成されている。抱持部２２は弾性の材質で作られ、外力により自由的に拡張や収束することができる。抱持部２２の端部に抱持頭２３が設けられ、抱持される対象物をしっかり咬止するため、抱持頭２３の表面がギザギザで加工されてある。また、抱持部２３の形状は、スプリンクラヘッド５０に当接したときに拡大するように、上下面のそれぞれを傾斜させている。ストッパー２４は後述の外筒の摺動を停止する機構である。ここで、抱持部２２は３本であることと記載したが、それを限定することなく、抱持部２２は複数であれば何本でもよい。
【００１３】
図３は外筒３０の側断面図である。外筒３０は、円筒形の本体３１と、固定部３２と、ハンドル３３とで形成されている。そして本体３１を内筒２０の抱持部２２に挿着すると、外筒３０は内筒２０の外面を摺動することができ、また図４に示すように、固定部３２がその内側に収束させる様な形状で加工されているため、固定部３２を抱持部２２の端部にある抱持頭２３付近の位置にすれば、抱持頭２３が固定部３２により束縛され、自由に外側に拡張することができなくなる。なお、当接部３４は、外筒３０の本体３１が内筒２０の外面を摺動する際、内筒２０のストッパー２４に当たる部材である。
【００１４】
ここで、その目的が後述になるが、外筒３０の固定部３２の内径は、抱持頭２３の外径とほぼ等しくするように加工され、そして内筒２０の本体２１の内径は、スプリンクラヘッド５０の外径に対して若干大きくするように加工されている。
【００１５】
図５はヘッド廻し４０の断面図を示している。ヘッド廻し４０は本体４１と、スプリンクラヘッド５０を廻すための嵌着部４２と、ハンドル４３とを備えている。
【００１６】
次に、このヘッド着脱工具１００を利用する手順を図６〜図９に参考しながら簡単に説明する。
【００１７】
まず図６は、外筒３０の本体３１に内筒２０の本体２１が挿着し、天井裏ＴＷに配設されていたフレキシブル配管Ｈからスプリンクラヘッド５０を取り外そうとしている。
【００１８】
図７は、天井Ｔの開口部Ｋとスプリンクラヘッド５０の間の隙間を通して、内筒２０の抱持部２２が天井裏ＴＷに挿し込むようにしている。このとき、３本の抱持部２２は弾力性があるので自然に広がり、抱持頭２３はスプリンクラヘッド５０に傷をつけることはない。
【００１９】
図８は、抱持部２２がさらに天井裏ＴＷに入れられ、やがて抱持頭２３はフレキシブル配管Ｈに到着する。このとき、抱持部２２の弾力で抱持頭２３はフレキシブル配管Ｈを圧接している。
【００２０】
そして、図９のように、外筒３０のハンドル３３を移動することで固定部３２が抱持部２２に摺動し、ストッパー２４により抱持部２２の端部にある抱持頭２３の位置に停止する。このとき、外筒３０の固定部３２の内径は、抱持頭２３の外径とほぼ等しくするように加工されているため、固定部３２は抱持頭２３を束縛して、抱持頭２３はフレキシブル配管Ｈを力強く挟持している。したがって、外筒３０のハンドル３３の保持により、フレキシブル配管Ｈのねじ込み部Ｈ１を確実に固定することができる。
【００２１】
最後に、ハンドル３３を保持しながら、ヘッド廻し４０を内筒２０に挿入して嵌着部４２をスプリンクラヘッド５０に装着してハンドル４３を廻せば、スプリンクラヘッド５０がフレキシブル配管Ｈから螺出することができる。そのとき、内筒２０の本体２１の内径は、スプリンクラヘッド５０の外径に対して若干大きくするように加工されているため、嵌着部４２は容易にスプリンクラヘッド５０に装着することができる。
【００２２】
この実施形態によれば、一端部に鉤形状で伸縮自在の抱持部２２が立設されている内筒２０と、当該内筒２０の外面に摺動し、抱持部２２の拡張を制限できる外筒３０と、上記内筒２０に挿入し、スプリンクラヘッド５０を嵌着するヘッド廻し４０とからなるヘッド着脱工具１００は、その内筒と外筒によりフレキシブル配管Ｈを固定せしめるとともに、ヘッド廻し４０でスプリンクラヘッド５０を螺出することができ、フレキシブル配管Ｈの捩れはない。フレキシブル配管Ｈは天井裏ＴＷに配設されても、ヘッド着脱工具１００を使用すれば、内筒２０が天井Ｔの開口部Ｋの隙間を通して外筒３０とともにフレキシブル配管Ｈを固定することができ、スプリンクラヘッドの取り外し作業はとても簡単になる。従来天井裏に作業員が入って作業するあるいは作業のため化粧天井を取り外さなければならないなど面倒なことは一切要らないので、作業の効率が高くなる。
【００２３】
実施形態２
図１０〜図１２は、本発明の実施形態２を示している。
【００２４】
実施形態２は実施形態1と比べて、ヘッド着脱工具２００の内筒２０ａの本体２１ａにハンドル２５ａを装着させ、また外筒３０ａの本体３１ａに上記ハンドル２５ａがスライドできる溝３４ａを設け、そして抱持部２２ａは４本の鉤であること以外、ヘッド着脱工具２００は、ヘッド着脱工具１００と同様である。
【００２５】
図１０はヘッド着脱工具２００の断面図を示している。抱持部２２ａが天井裏ＴＷに挿し込まれて、フレキシブル配管Ｈを圧着している。内筒本体２１ａに握持用のハンドル２５ａが装着されていたので、本体２１ａの長さが短くて済み、着脱工具は全体的にコンパクトすることができる。
【００２６】
また、図１１に示すように、外筒３０ａの本体３１ａに溝３４ａが設けられてあり、したがって外筒３０ａの本体３１ａが内筒２０ａの本体２１ａに摺動してもハンドル２５ａに干渉されることはない。
【００２７】
図１２は固定部３２ａが抱持頭２３ａに位置されていることを示している。その結果、抱持頭２３ａがフレキシブル配管Ｈをしっかり挟持することができる。その後図示しないが、外筒３０ａのハンドル３３ａを保持しながらヘッド廻し４０でスプリンクラヘッド５０を回転させれば、スプリンクラヘッド５０を簡単にフレキシブル配管Ｈから螺出することができる。
【００２８】
ここで、継手配管はフレキシブル配管を例として記載したが、巻き出し配管の場合でも同様な効果があることは言うまでもない。
【００２９】
また、実施例ではスプリンクラヘッドの螺出を記載したが、着脱工具を使用してスプリンクラヘッドの螺入にも同様な効果が得られる。
【図面の簡単な説明】
【００３０】
【図１】実施形態１に係わるヘッド着脱工具１００の組み立て図
【図２】実施形態１に係わる内筒２０図
【図３】実施形態１に係わる外筒３０図
【図４】図３に係わる外筒３０の平面図
【図５】ヘッド廻し４０図
【図６】内筒２０と外筒３０が装着の状態
【図７】内筒２０が天井裏ＴＷを挿し込んでいる状態
【図８】内筒２０が天井裏ＴＷに挿し込んだ状態
【図９】内筒２０と外筒３０がフレキシブル配管Ｈを固定している状態
【図１０】実施形態２に係わるヘッド着脱工具２００
【図１１】図１０の側面図
【図１２】内筒２０ａと外筒３０ａがフレキシブル配管Ｈを固定している状態
【符号の説明】
【００３１】
２０、２０ａ       内筒
２２、２２ａ       抱持部
２３               抱持頭
３０、３０ａ       外筒
３２、３２ａ       固定部
４０               ヘッド廻し
５０               スプリンクラヘッド
Ｔ                 天井（化粧天井）
ＴＷ               天井裏
Ｋ                 開口部
Ｈ                 継手配管
１００、２００     ヘッド着脱工具
【図１】
2008137101.tif 000003
【図２】
2008137101.tif 000004
【図３】
2008137101.tif 000005
【図４】
2008137101.tif 000006
【図５】
2008137101.tif 000007
【図６】
2008137101.tif 000008
【図７】
2008137101.tif 000009
【図８】
2008137101.tif 000010
【図９】
2008137101.tif 000011
【図１０】
2008137101.tif 000012
【図１１】
2008137101.tif 000013
【図１２】
2008137101.tif 000014